(57)【要約】【課題】保持部材の保持位置への位置変更作業を省略することのできる遊技機を提供する【解決手段】支持側部材４８には、遊技機裏側に配置される装着側部材９９が装着位置と退避位置とに位置変更可能に設けられる。装着側部材９９は、装着位置ではその裏側に位置する隠蔽部材５８を隠しかつ退避位置では該隠蔽部材５８を露出する。支持側部材４８には、保持部材９２が保持位置と非保持位置とに位置変更可能に設けられる。保持部材９２は、保持位置では装着側部材９９を退避位置に保持しかつ非保持位置では該装着側部材９９を装着位置に位置変更可能とする。【選択図】      図９
2004188131.tif 000002
【特許請求の範囲】
【請求項１】
支持側部材には、遊技機裏側に配置される装着側部材が装着位置と退避位置とに位置変更可能に設けられ、
前記装着側部材は、装着位置ではその裏側に位置する隠蔽部材を隠しかつ退避位置では該隠蔽部材を露出し、
前記支持側部材には、保持部材が保持位置と非保持位置とに位置変更可能に設けられ、
前記保持部材は、保持位置では前記装着側部材を退避位置に保持しかつ非保持位置では該装着側部材を装着位置に位置変更可能とすることを特徴とする遊技機。
【発明の詳細な説明】
【０００１】
【発明の属する技術分野】
本発明は、パチンコ機、スロットマシン、所定数の球を一単位としてスロットマシンと同様の遊技を行なうパチンコ機等の遊技機に関する。
【０００２】
【従来の技術】
従来には、例えば特許文献１に記載された遊技機がある。特許文献１の遊技機においては、入賞玉を処理して所定の賞球を払い出すための各種の機構が設けられる機構板に、基板ボックスの取付台が装着位置と退避位置とに位置変更可能に装着されている。機構板は、装着位置ではその裏側に位置する入賞球処理装置を隠しかつ退避位置では該入賞球処理装置を露出する。機構板には、処理装置カバー体が保持位置と非保持位置とに位置変更可能に設けられている。処理装置カバー体は、保持位置では取付台を退避位置に保持しかつ非保持位置では該取付台を装着位置に位置変更可能とする。したがって、作業者は、基板ボックスの取付台を手で支持する必要がなく、入賞球処理装置の検査やメンテナンス等を容易に行うことができる。
【０００３】
【特許文献１】
特開２０００−７０５２３号公報（第２２−２３頁、図１３，１４参照）
【０００４】
【発明が解決しようとする課題】
上記した特許文献１の遊技機では、作業者は、基板ボックスの取付台を退避位置においた状態で、処理装置カバー体を手で保持位置に位置変更させなければならない。したがって、処理装置カバー体の保持位置への位置変更作業が煩わしいという問題があった。
【０００５】
本発明が解決しようとする課題は、保持部材の保持位置への位置変更作業を省略することのできる遊技機を提供することにある。
【０００６】
【課題を解決するための手段】
前記した課題を解決するために、本発明の手段１にかかる遊技機は、
「支持側部材には、遊技機裏側に配置される装着側部材が装着位置と退避位置とに位置変更可能に設けられ、
前記装着側部材は、装着位置ではその裏側に位置する隠蔽部材を隠しかつ退避位置では該隠蔽部材を露出し、
前記支持側部材には、保持部材が保持位置と非保持位置とに位置変更可能に設けられ、
前記保持部材は、保持位置では前記装着側部材を退避位置に保持しかつ非保持位置では該装着側部材を装着位置に位置変更可能とし、
前記装着側部材の装着位置から退避位置への位置変更に連動して前記保持部材が非保持位置から保持位置へ自動的に位置変更されるように構成されていることを特徴とする遊技機。」
を構成の要旨とするものである。
このように構成すると、遊技機裏側に設けられた装着側部材の装着位置から退避位置への位置変更に連動して、保持部材が非保持位置から保持位置へ自動的に位置変更される。このため、従来必要とされた保持部材の保持位置への位置変更作業を省略することができる。さらには、隠蔽部材を容易に露出させることができ、これにより、例えば隠蔽部材の検査やメンテナンス等を一層容易に行うことができる。なお、遊技機裏側とは、遊技機の遊技者に面する側の反対側をいう。
【０００７】
本発明の手段２にかかる遊技機は、
「前記保持部材を非保持位置から保持位置へ向けて付勢する弾性部材を備えていることを特徴とする前記手段１に記載の遊技機。」
を構成の要旨とするものである。
このように構成すると、保持部材が弾性部材の付勢により非保持位置から保持位置へ自動的に位置変更される。したがって、弾性部材を利用した簡単な構造によって、保持部材の保持位置への位置変更を自動化することができる。
【０００８】
本発明の手段３にかかる遊技機は、
「前記弾性部材の付勢に抗して保持位置から非保持位置へ位置変更された前記保持部材を係合によって非保持位置に保持する仮止め手段を備え、
前記装着側部材が退避位置から装着位置に位置変更されたときは、前記保持部材に対する前記仮止め手段の係合が解除されかつ前記保持部材が前記弾性部材の付勢に抗して前記装着側部材で制止されるように構成されていることを特徴とする前記手段２に記載の遊技機。」
を構成の要旨とするものである。
このように構成すると、装着側部材が退避位置にあるときに、保持部材を弾性部材の付勢に抗して保持位置から非保持位置へ位置変更すると、保持部材が仮止め手段の係合によって非保持位置に保持される。この状態で、装着側部材を退避位置から装着位置に位置変更すると、保持部材に対する仮止め手段の係合が解除されたのち、保持部材が弾性部材の付勢に抗して装着側部材で制止される。したがって、次回の保持部材の保持位置への自動的な位置変更のための準備を容易に整えることができる。
【０００９】
本発明の手段４にかかる遊技機は、
「前記支持側部材には、前記装着側部材の上端部がほぼ水平な軸線周りに回動可能に設けられているとともに、前記保持部材の基端部がほぼ垂直な軸線周りに回動可能に設けられていることを特徴とする前記手段１〜３のいずれか１つに記載の遊技機。」
を構成の要旨とするものである。
このように構成すると、装着側部材及び保持部材をそれぞれ回動によって容易に位置変更させることができる。
【００１０】
本発明の手段５にかかる遊技機は、
「前記支持側部材に前記装着側部材の上端部をほぼ水平な軸線周りに回動可能に支持する軸受手段は、一方の部材に形成された軸部と、他方の部材に形成されかつ前記軸部を回動可能に支持する軸受部とにより構成され、
前記軸部は、その軸線に交差する方向への所定範囲の移動が許容されるように前記軸受部に対して遊嵌状に支持されていることを特徴とする前記手段４に記載の遊技機。」
を構成の要旨とするものである。
このように構成すると、支持側部材に対する装着側部材の回動に際し、軸受手段の軸部が軸受部内で軸線に交差する方向への所定範囲の移動が許容される。したがって、装着側部材の回動支点を退避位置では低くくずらし、装着位置では高くずらすことができる。
【００１１】
本発明の手段６にかかる遊技機は、
「前記支持側部材は、遊技盤の後面側において該遊技盤の後方に突出する後方突出部位を嵌合する開口部を有する機構盤であり、
前記装着側部材は、前記機構盤の開口部の下方部位に配置される基板ボックスであり、
前記隠蔽部材は、前記機構盤の開口部の下方部位に位置する下方配置部品であることを特徴とする前記手段１〜５のいずれか１つに記載の遊技機。」
を構成の要旨とするものである。
このように構成すると、機構盤の開口部の下方部位に基板ボックスが配置されるとともに、該基板ボックスで下方配置部品が隠蔽される。したがって、下方配置部品に基板ボックスが重畳配置されることにより、機構盤の外形を大きくすることになく、該機構盤の開口部を下方へ拡大することができる。ここで、遊技盤３０の後方突出部位とは、例えばパチンコ機の入賞装置、スロットマシンの図柄表示装置等による後方への突出部位である。したがって、近年の入賞装置、図柄表示装置等の大型化にともなう後方突出部位の大型化に容易に適応することができる。
【００１２】
【発明の実施の形態】
［実施の形態１］
本発明の実施の形態１を図面にしたがって説明する。本実施の形態では、パチンコ球（単に球という）を使用してスロットマシンと同様の遊技を行う遊技機について例示する。なお、説明の便宜上、遊技機に対する遊技者側を前側、反対側を後側と称する。
【００１３】
遊技機の概要から説明する。図３に示すように、遊技機１の外枠３は、ほぼ方形枠状に形成されている。外枠３の前面側の下端部には、前枠５（後述する）を受ける受け板４が設けられている。外枠３の前側には、ほぼ方形枠状の前枠５（図２参照）が前枠ヒンジ装置（図示省略）を介して開閉可能に装着されている。前枠５の自由端側は、外枠３に対して施錠装置６（図３参照）により閉じた状態に施錠されている。また、図２に示すように、前枠５の前側（図２において右側）には、ほぼ方形状の開閉扉７が扉ヒンジ装置（図示省略）を介して開閉可能に装着されている。開閉扉７の自由端側は、前枠５に対して前記施錠装置６（図３参照）によって閉じた状態に施錠されている。開閉扉７は、透明ガラス板、透明樹脂板等の透視板９（図１参照）を備えている。
【００１４】
図１に示すように、前記開閉扉７の下部には、第１〜第３のベットボタン１１，１２，１３、始動レバー１４、第１〜第３の停止ボタン１６，１７，１８、取込ボタン２０、貯留精算ボタン２１、返却ボタン２２等が操作可能に配設されている。また、開閉扉７の右上部には音声、音楽、効果音等を発するスピーカ２４が配設され、該開閉扉７の左右両側部には点灯又は点滅する演出ランプ２５が配設されている。また、前記前枠５（図２参照）の前側の下部には、図１に示すように、上皿２６及び下皿２７が装着されている。上皿２６内に貸球及び賞球が保留され、下皿２７内に上皿２６からオバーフローした球が貯留される。
【００１５】
図２に示すように、前記前枠５の後側（図２において左側）には、ほぼ方形枠状に形成された装着枠２９が脱着可能に装着されている。装着枠２９の枠内には、その後方（図２において左方）から遊技盤３０が着脱可能に嵌込まれている。遊技盤３０は、ほぼ四角板状に形成された遊技盤本体３１と、該遊技盤本体３１に装着された図柄表示装置３２とを備えている。遊技盤本体３１は、装着枠２９に対して機構盤４８（後述する）により固定されている。また、図柄表示装置３２は、前面側を表示部とする第１〜第３の計３つの表示部材３３，３４，３５を備えている。図１に示すように、各表示部材３３，３４，３５の表示部は、前記開閉扉７の透視板９を透して視認することができる。各表示部材３３，３４，３５は、例えば無端状の回転ベルト、回転リール、回転ドラム等からなり、前記始動レバー１４を操作することによりそれぞれ回転し、各停止ボタン１６，１７，１８を操作することにより停止される。
【００１６】
また、図２に示すように、前記遊技盤本体３１の前面側の下部には、前面側を表示部とするクレジット表示器３７、ゲーム数表示器３８、ユニット数表示器３９が配設されている。さらに、前記遊技盤本体３１の右肩部には、前面側を表示部とする液晶表示器４０が装着されている。図１に示すように、各表示器３７，３８，３９及び液晶表示器４０の表示部は、前記開閉扉７の透視板９を透して視認することができる。クレジット表示器３７はクレジット数を表示する。ゲーム数表示器３８はボーナスゲームにおける消化ゲーム数を表示する。ユニット数表示器３９は払出しを行うユニット数を表示する。液晶表示器４０は、図柄を用いる表示によってビッグボーナスゲームや期待度等を表示する。
【００１７】
前記遊技盤本体３１（図２参照）の前面側には、前記開閉扉７（図１参照）の透視板９を透して視認することのできる左右の適数個（図１では左右各５個を示す）の有効ランプ４２が配置されている。各有効ランプ４２は、水平方向に延びる３本と斜めに延びる２本の計５本の有効ライン４３に対応して配置されている。例えば、前記第１のベットボタン１１を操作すれば、中段１本の有効ライン４３に対応する有効ランプ４２が点灯あるいは点滅する。また、前記第２のベットボタン１２を操作すれば、中段、上段及び下段の計３本の有効ライン４３に対応する有効ランプ４２が点灯あるいは点滅する。また、前記第３のベットボタン１３を操作すれば、中段、上段、下段と斜め２方向の計５本の有効ライン４３に対応する有効ランプ４２が点灯あるいは点滅する。
【００１８】
図２に示すように、前記遊技盤本体３１の後側には、前記図柄表示装置３２の後部を覆う裏カバー体４４が配設されている。裏カバー体４４の後面側には、副基板ボックス４５と主基板ボックス４６が上下に並んで配設されている。副基板ボックス４５内には、前記スピーカ２４（図１参照）を作動制御するための音声制御基板や、前記演出ランプ２５及び前記有効ランプ４２（図１参照）、その他のランプ、ＬＥＤ等の発光体（図示省略）を点滅制御するためのランプ制御基板等（図示省略）が収納されている。また、主基板ボックス４６内には、遊技機１の遊技の制御を行うための主制御基板（図示省略）が収納されている。
【００１９】
図２に示すように、前記装着枠２９の後側には、ほぼ方形枠状の機構盤４８が機構盤ヒンジ装置４７（図３参照）を介して開閉可能に装着されている。機構盤４８の自由端側（図３において左側）は、装着枠２９に対して閉止具４９によって閉じた状態に保持されている。図２に示すように、機構盤４８の枠内の開口部からは、前記図柄表示装置３２の後部、前記裏カバー体４４、前記副基板ボックス４５及び前記主基板ボックス４６が突出されている。また、機構盤４８は、装着枠２９の枠内の周縁部に対して前記遊技盤３０の遊技盤本体３１の周縁部を押圧によって固定する。なお、図柄表示装置３２の後部、裏カバー体４４、副基板ボックス４５及び主基板ボックス４６は、本明細書でいう「後方突出部位」に相当している。また、機構盤４８には、球を誘導する球通路（図示省略）が設けられている。
【００２０】
図３に示すように、前記機構盤４８の裏側（遊技機裏側に相当する）には、球タンク５０、タンクレール５１、球払出装置５２、基板ボックス９９等が装着されている。タンクレール５１は、球を貯留した球タンク５０から流下する球を球払出装置５２へ誘導する。球払出装置５２は、タンクレール５１から流下した球を賞球数あるいは貸球数に応じて前記上皿２６（図１参照）へ払出す。
また、基板ボックス９９は、機構盤４８の開口部の下方部位に配置されている。基板ボックス９９は、樹脂製のボックス本体９９０（図９参照）と、そのボックス本体９９０の裏側の右半部を覆う樹脂製の第１の基板ボックスカバー５４及び同じく裏側の左半部を覆う樹脂製の第２の基板ボックスカバー５５（図３参照）とからなる。ボックス本体９９０と第１の基板ボックスカバー５４とにより形成される内部空間には、払出用制御基板（図示省略）が収納されている。また、ボックス本体９９０と第２の基板ボックスカバー５５とにより形成される内部空間には、電源基板（図示省略）が収納されている。
また、球払出装置５２の駆動モータ（図示省略）は、前記払出制御基板（図示省略）を含む制御手段により制御される。
【００２１】
図９に示すように、前記基板ボックス９９のボックス本体９９０の上縁部は、機構盤４８に対してヒンジ機構５６を介して回動可能に連結されている。このため、基板ボックス９９の下端部を持ち上げるようにして、該基板ボックス９９をヒンジ機構５６を介してほぼ水平な軸線周りに回動することにより、球取込装置５８（後述する、図９中、二点鎖線５８参照）を後方側に開放することができる。その基板ボックス９９の開放位置（図９中、二点鎖線９９参照）を「退避位置」という。
また、前記退避位置にある基板ボックス９９の下端部（自由端部）を押し下げるようにして該基板ボックス９９を戻す（回動する）ことにより、該基板ボックス９９が所定の装着位置（図９中、実線９９参照）へ位置変更される。これにより、球取込装置５８（後述する）が基板ボックス９９により隠蔽される。
なお、機構盤４８は、本明細書でいう「支持側部材」に相当する。また、基板ボックス９９は、本明細書でいう「装着側部材」及び「機構盤の開口部の下方部位に配置される基板ボックス」に相当する。
【００２２】
図９に示すように、前記機構盤４８には、前記基板ボックス９９の裏側に位置するほぼ棒状の保持部材９２の基端部が、ほぼ垂直な軸線（鉛直方向に延びる軸線）周りに回動可能に設けられている。保持部材９２は、基板ボックス９９を退避位置において受け止めて保持する保持位置（図９中、二点鎖線９２参照）と、機構盤４８側に傾倒する非保持位置（図示省略）とに位置変更可能になっている。保持部材９２が非保持位置におかれると、基板ボックス９９が装着位置（図９中、実線９９参照）に位置変更可能となる。保持部材９２は、図示しないコイルスプリング等の弾性部材の弾性により、非保持位置から保持位置へ向けて付勢されている。これにより、装着位置にある基板ボックス９９の裏面に保持部材９２の先端部が当接し、該保持部材９２が弾性部材の付勢に抗して基板ボックス９９により制止される。このため、基板ボックス９９の装着位置から退避位置への位置変更に連動して、保持部材９２が弾性部材の付勢により非保持位置から保持位置（図９中、二点鎖線９２参照）へ自動的に位置変更することができる。
【００２３】
前記基板ボックス９９の下縁部は、機構盤４８に回動可能に設けられた留め具５３が係脱可能になっている（図３参照）。すなわち、装着位置におかれた基板ボックス９９の下縁部に対して留め具５３を回動させて係合することにより、該基板ボックス９９が固定される。この状態から、留め具５３を戻して（回動させて）、基板ボックス９９の下縁部に対する係合を解除することにより、該基板ボックス９９の退避位置への位置変更が可能となる。なお、留め具５３に代え、弾性変形を利用したクリップ手段、ねじ止め手段等によって、基板ボックス９９の下縁部を係脱可能とすることができる。
【００２４】
上記した遊技機１は、次に述べる球取込装置５８（図１参照）により、所定数（例えば５個）の球を一単位として単位毎の球を機内に取込んで遊技を行ない、その遊技の結果に応じて特典が付与される。球取込装置５８は、図６に示すように、ケース体６０と回転体７０とを備えている。ケース体６０は、前半部を形成するケース部材６１と、ケース部材６１に結合されかつ後半部を形成するカバー部材６４とによりほぼボックス状に形成されている（図４参照）。図８に示すように、ケース部材６１の右側壁６１ａには、例えばステッピングモータからなる取込モータ７５が設置されている。取込モータ７５の出力回転軸７５ａ（図７参照）は、ケース部材６１内に指向されている。
【００２５】
図７に示すように、前記ケース部材６１内において、前記取込モータ７５の出力回転軸７５ａには、ほぼ羽根車状をなす回転体７０が設けられている。図６に示すように、回転体７０の外周部には、ほぼ放射状に等間隔で突出する適数枚（図６では６枚を示す）の羽根７１を有している。隣り合う羽根７１の相互間は、ほぼ軸方向に延びる条溝状をなしかつ１ユニットの球Ｂすなわち５個の球Ｂを一単位として回転体７０の軸方向に整列した状態で収容可能な球収容部７２となっている（図７参照）。回転体７０は、取込モータ７５の回転駆動によって、左回り方向（図６中、矢印Ｙ１参照）に６０°ずつ間欠的に回転される。また、羽根７１は、断面ほぼ「く」の字状に形成されており、回転体７０の回転時に球Ｂを受止め可能になっている。
【００２６】
図８に示すように、前記ケース部材６１の左側壁６１ｂには、球入口６２が形成されている。球入口６２は、前記上皿２６（図１参照）内から流下する球を誘導する流入通路５７（図１参照）の下流端に対応し、かつ前記回転体７０の前側位置を収容位置とする球収容部７２（球収容部７２に収容直後の球Ｂ（図６中、二点鎖線Ｂａ参照）に対応している。図７に示すように、流入通路５７及び球収容部７２は、球Ｂが転動して流下し得る勾配をもって傾斜状に形成されている。このため、流入通路５７を転動して流下する球Ｂは、球収容部７２における下方位置（図７において右端位置）から上方（同左方）へ順に詰まる。
【００２７】
図６に示すように、前記取込モータ７５の駆動により、回転体７０が回転によって所定方向（図６中、矢印Ｙ１参照）に回転されると、収容位置で球収容部７２に収容された球Ｂ（Ｂａ）は、上死点を経て後方（図６において左方）へ搬送されることで、その自重を利用して回転体７０の径方向外方へ転動して放出される（図６中、矢印Ｙ２参照）。また、前記ケース部材６１内には、前記回転体７０の前方及び上方を取り囲み、かつ球収容部７２に収容された状態で搬送される球Ｂの外方への放出を防止するガード部材６３が設置されている。また、前記カバー部材６４の後側壁６４ａの内側には、取込通路６５が形成されている。取込通路６５は、カバー部材６４の後側壁６４ａを兼用する通路壁（後側壁と同一符号を付す）６４ａと、その後側壁６４ａから上下平行状にして回転体７０に向けて突出された上壁６５ａ及び下壁６５ｂとによって形成されている。上壁６５ａの先端部は、ガード部材６３の上側の後端部近くにまで延びている。また、下壁６５ｂの先端部６５ｂ１は上方へ傾斜している。図４に示すように、カバー部材６４の左側壁６４ｂには、取込通路６５を開放する球出口６６が形成されている。また、取込通路６５の下壁６５ｂ（図６参照）は、球Ｂが転動して球出口６６（図４参照）へ流下し得る勾配をもって傾斜状に形成されている。このため、回転体７０の球収容部７２から放出された球Ｂは、取込通路６５を通じて球出口６６から排出される。球出口６６から排出された球Ｂは、誘導通路（図示省略）を通じて遊技機１内の所定部位に取込まれるものとする。
【００２８】
図７に示すように、前記回転体７０のモータ側の端部には、ほぼディスク状のフランジ部７４が設けられている。フランジ部７４の外周縁には、前記各球収容部７２に対応する検出孔７４ａ（図６参照）が設けられている。一方、前記ガード部材６３には原点センサ７６が配設されている。原点センサ７６は、例えば発光部と受光部とにより構成される光センサ（フォトセンサとも呼ばれる）からなり、前記フランジ部７４の各検出孔７４ａ（図６参照）を光学的に検出する。原点センサ７６によってフランジ部７４の各検出孔７４ａを検出した信号、言い換えれば球収容部７２に対応した信号が所定の制御回路（図示省略）に出力され、回転体７０の回転角度が確認される。また、図７に示すように、前記回転体７０の各羽根７１の外周部には、前記球収容部７２に並ぶ球Ｂに対応する１ユニット分すなわち計５個のスリット７３が設けられている。一方、前記ガード部材６３には、１ユニット分すなわち計５個の取込センサ７７が配設されている。各取込センサ７７は、例えば発光部と受光部とにより構成される光センサ（フォトセンサとも呼ばれる）からなり、前記収容位置にある球収容部７２に受け入れた球Ｂを羽根７１のスリット７３を通じて光学的に検出する。取込センサ７７によって球Ｂを検出した信号は、所定の制御回路（図示省略）に出力され、回転体７０の球収容部７２に球Ｂが収容されたことが確認される。
【００２９】
図６に示すように、前記ケース部材６１内には、返却通路６７が設けられている。返却通路６７は、図７に示すように、前記回転体７０の収容位置における球収容部７２内に収容された球Ｂを前記下皿２７（図１参照）内へ返却可能に形成されている。返却通路６７の上流側開口部は、通常、ゲート部材６８によって閉鎖されている。ゲート部材６８は、返却レバー６９（図６参照）の作動に連動して返却通路６７を開放される。返却レバー６９（図６参照）は、ケース部材６１に設けられ、前記返却ボタン２２（図１参照）の操作によってゲート部材６８（図７参照）を開放させる。したがって、返却ボタン２２の操作によって、回転体７０の収容位置における球収容部７２内に収容された球Ｂ（図６中、二点鎖線Ｂａ参照）が返却通路６７を通じて前記下皿２７（図１参照）内へ返却される。これとともに、上皿２６（図１参照）内の球Ｂが回転体７０の収容位置における球収容部７２及び返却通路６７を通じて下皿２７内へ返却される。
【００３０】
上記した球取込装置５８は、前記機構盤４８に設けた開口部（図示省略）内に位置され、かつ前記前枠５の後面側に配置されている（図９参照）。球取込装置５８のカバー部材６４の後側壁６４ａ（図４参照）は、前記基板ボックス９９に面するように配置されている。すなわち、球取込装置５８のカバー部材６４の後側壁６４ａ（図４参照）が、装着位置にある基板ボックス９９（図９中、実線９９参照）によって隠蔽される。また、基板ボックス９９の下端部を持ち上げるようにして該基板ボックス９９を退避位置（図９中、二点鎖線９９参照）に位置変更することにより、前記カバー部材６４の後側壁６４ａ（図４参照）を露出させることができる。なお、球取込装置５８は、本明細書でいう「隠蔽部材」及び「下方配置部材」に相当する。
【００３１】
引き続いて、上記した球取込装置５８の作用について説明する。前記上皿２６内の球Ｂは、流入通路５７を通じて、球取込装置５８の球入口６２から回転体７０の収容位置にある球収容部７２に収容される。球収容部７２に受入れられた球Ｂは、取込モータ７５の駆動による回転体７０の６０°ずつの間欠回転にともない、上死点を経由して後方へ約１８０°搬送された後、自重によって取込通路６５へ放出される。取込通路６５に放出された球Ｂは、球出口６６から放出された後、誘導通路（図示省略）を通じて遊技機１内の所定部位に取込まれる。
【００３２】
次に、上記した球取込装置５８を備えた遊技機１によって遊技を行う場合を説明する。遊技機１（図１参照）のいずれかのベットボタン１１，１２，１３を操作することにより、球取込装置５８によって、上皿２６内の球Ｂが所定数を一単位として、１ユニットずつ遊技機１内の所定部位に取込まれる。すなわち、第１のベットボタン１１を操作すれば、球取込装置５８の回転体７０が６０°回転することにより、１ユニット分の球Ｂが遊技機１内の所定部位に取込まれる。また、第２のベットボタン１２を操作すれば、回転体７０が６０°ずつ１２０°回転することにより、２ユニット分の球Ｂが遊技機１内の所定部位に取込まれる。また、第３のベットボタン１３を操作すれば、回転体７０が６０°ずつ１８０°回転することにより、３ユニット分の球Ｂが遊技機１内の所定部位に取込まれる。
【００３３】
続いて、始動レバー１４（図１参照）を操作することにより、図柄表示装置３２のすべての表示部材３３，３４，３５が回転され、その後、各停止ボタン１６，１７，１８を操作することにより、各表示部材３３，３４，３５が個別に停止される。そして、各表示部材３３，３４，３５の図柄による図柄列が所定の当たり図柄列となったときに、有効ライン４３に対応する所定数の賞球が球払出装置５２（図３参照）によって上皿２６内に払出される。なお、所定の当たり図柄列が本明細書でいう「遊技結果」に相当する。また、所定数の賞球の払出しが本明細書でいう「特典の付与」に相当する。また、返却ボタン２２を操作することにより、上皿２６及び球取込装置５８に収容されていた球Ｂが返却通路６７（図７参照）を通して下皿２７上へ返却される。なお、貯留精算ボタン２１を操作すると、クレジットしている球Ｂが下皿２７内に返却される。
【００３４】
次に、上記した遊技機１における球取込装置５８の要部について説明する。図５及び図６に示すように、前記取込通路６５の通路壁を兼用するケース体６０のカバー部材６４の後側壁６４ａには、前記回転体７０の球放出部分に臨む適数個（図５は６個を示す）の球噛み解消用開口部８０が設けられている。球噛み解消用開口部８０は、図５に示すように、横長の長細孔状をなし、かつ上下２段で左右方向に３個が千鳥状にずらして形成されている。球噛み解消用開口部８０の縦方向の孔幅８０ｗ（図４参照）は、それぞれ球噛み解消用工具９０を差込み可能でかつ球Ｂ（図６参照）が抜け出ない大きさに設定されている。本実施の形態の球噛み解消用工具９０としては、市販されているマイナス（−）型又はプラス（＋）型のドライバー（ねじ回し）、六角棒等の工具が使用される。
【００３５】
上記した遊技機１（図１参照）の球取込装置５８（図６参照）における回転体７０の球放出部分で球噛みが発生することがある。このような場合、球Ｂの取込みができず、遊技者から連絡を受けたホール店員すなわち作業者は、施錠装置６（図３参照）を解錠し、前枠５（図２参照）を開ける。この状態で、基板ボックス９９の下縁部に対する留め具５３（図３参照）の係合を解除して、該基板ボックス９９を退避位置（図９中、二点鎖線９９参照）に位置変更させる。これにより、球取込装置５８のカバー部材６４の後側壁６４ａ（図４参照）が露出される。このとき、基板ボックス９９は、装着位置から退避位置への位置変更に連動して、自動的に保持位置に回動された保持部材９２（図９参照）によって退避位置に保持される。この状態で、ホール店員は、球噛み解消用工具（詳しくは、ドライバーの軸状部）９０をカバー部材６４の球噛み解消用開口部８０に差込む（図６中、二点鎖線９０参照）。そして、球噛み解消用工具９０を操作して、回転体７０を逆転させたり、球噛みした球Ｂを払い除けたりすることによって、球噛みを解消することができる。このように、球取込装置５８のケース体６０の構成部品（カバー部材６４）を脱着することなく、球取込装置５８内で発生した球噛みを簡単にかつ素早く解消することができる。
【００３６】
また、前記ケース体６０のカバー部材６４の後側壁６４ａと取込通路６５の通路壁とを兼用しており、その兼用する後側壁６４ａに球噛み解消用開口部８０を設けているので、ケース体６０の壁構造を簡素化するとともに球噛み解消用開口部８０を容易に設けることができる（図６参照）。例えば、ケース体６０のカバー部材６４の後側壁６４ａと取込通路６５の通路壁とが別個であると、ケース体６０の壁構造が複雑化するうえ、各壁に球噛み解消用開口部８０を相互に対応する関係をもって個々に設けなければならないという不具合がある。しかし、本遊技機１によれば、そのような不具合が改善される。
【００３７】
また、市販されているドライバー等の工具を球噛み解消用工具９０として球取込装置５８のケース体６０の球噛み解消用開口部８０に差込むことができる（図６参照）。このため、特別な球噛み解消用工具９０が不要であり、球噛み解消用工具９０の維持管理を簡略化することができる。なお、球噛み解消用工具９０には、専用の特殊工具を用いることもできる。
【００３８】
上記のようにして、球取込装置５８（図６参照）における球噛みが解消されたならば、作業者は、保持部材９２を弾性部材の付勢に抗して非保持位置に位置変更するとともに、基板ボックス９９を装着位置に位置変更する。そして、装着位置に戻した基板ボックス９９の下縁部に留め具５３（図３参照）を係合する。その後、前枠５（図２参照）を閉じて施錠装置６（図３参照）で施錠する。このようにして、球取込装置５８の球噛み解消作業が終了する。
【００３９】
上記した遊技機１によると、機構盤４８の裏側に設けられた基板ボックス９９の装着位置から退避位置への位置変更に連動して、保持部材９２が弾性部材（図示省略）の付勢により非保持位置から保持位置へ自動的に位置変更される。このため、従来必要とされた保持部材９２の保持位置への位置変更作業を省略することができる。さらには、球取込装置５８を容易に露出させることができ、これにより、例えば球取込装置５８の検査やメンテナンス等を一層容易に行うことができる。
【００４０】
また、前に述べたように、保持部材９２が弾性部材（図示省略）の付勢により非保持位置から保持位置へ自動的に位置変更されるように構成したので、弾性部材を利用した簡単な構造によって、保持部材９２の保持位置への位置変更を自動化することができる。
【００４１】
また、基板ボックス９９が装着位置にあるときは、保持部材９２が弾性部材の付勢に抗して該基板ボックス９９で制止される。したがって、次回の保持部材９２の保持位置への自動的な位置変更のための準備を容易に整えることができる。
【００４２】
また、機構盤４８には、基板ボックス９９の上端部がほぼ水平な軸線周りに回動可能に設けられているとともに、保持部材９２の基端部がほぼ垂直な軸線周りに回動可能に設けられている。したがって、基板ボックス９９及び保持部材９２をそれぞれ回動によって容易に位置変更させることができる。
【００４３】
また、機構盤４８の開口部の下方部位に基板ボックス９９が配置されるとともに、該基板ボックス９９で球取込装置５８が隠蔽される。したがって、球取込装置５８に基板ボックス９９が重畳配置されることにより、機構盤４８の外形を大きくすることになく、該機構盤４８の開口部を下方へ拡大することができる。したがって、近年の図柄表示装置３２等の大型化にともなう後方突出部位の大型化に容易に適応することができる。
【００４４】
また、上記球取込装置５８におけるケース体６０のカバー部材６４の球噛み解消用開口部８０は、変更例１（図１０参照）、変更例２（図１１参照）に変更することができる。
変更例１は、図１０に示すように、カバー部材６４の後側壁６４ａに、その下縁部から上方に向かって切り込み溝状の球噛み解消用開口部８２を形成したものである。球噛み解消用開口部８２の溝幅８２ｗは、実施の形態１と同様、球噛み解消用工具９０を差込み可能でかつ球が抜け出ない大きさに設定されている。したがって、球噛み解消用工具９０をカバー部材６４の球噛み解消用開口部８２に差込んで球噛みを解消することができる。
【００４５】
また、変更例２は、図１１に示すように、カバー部材６４の後側壁６４ａには、回転体７０（図６参照）の球放出部分を開放する開口窓８４が形成されている。さらに、カバー部材６４の後側壁６４ａには、前記開口窓８４を塞ぐように格子状の網部材８５が設けられている。そして、網部材８５の網目８３は、実施の形態１と同様、球噛み解消用工具９０を差込み可能でかつ球が抜け出ない大きさの球噛み解消用開口部（網目と同一符号を付す）８３に設定されている。したがって、実施の形態１と同様、球噛み解消用工具９０をカバー部材６４の球噛み解消用開口部８３に差込んで球噛みを解消することができる。
【００４６】
［実施の形態２］
本発明の実施の形態２を説明する。実施の形態２は、上記した実施の形態１の一部に変更を加えたものであるからその変更部分について詳述し、重複する説明は省略する。図１２に示すように、前記基板ボックス９９のボックス本体９９０の上縁部には、適数個の差込みタブ９９ａが突出されている。一方、機構盤４８には、各差込みタブ９９ａを差込み可能な差込み孔４８ａ（図１４参照）がそれぞれ形成されている。各差込みタブ９９ａは、基板ボックス９９の退避位置から装着位置への位置変更時に、機構盤４８の各差込み孔４８ａ（図１４参照）にそれぞれ差込まれることにより、該基板ボックス９９を位置決めする（図１３参照）。また、各差込みタブ９９ａは、基板ボックス９９を装着位置から退避位置への位置変更時には、機構盤４８の各差込み孔４８ａから抜け外れるようになっている（図１４参照）。
【００４７】
図１２に示すように、前記基板ボックス９９のボックス本体９９０の下縁部の中央部には、タブ９９ｂが突出されている。一方、機構盤４８には、タブ９９ｂに対応する位置において、上記実施の形態１と同様の留め具５３が軸５３ａにより回動可能に配置されている。したがって、留め具５３を図１２に実線５３で示す位置におきかつ基板ボックス９９を装着位置においた状態で、該留め具５３を回動させてタブ９９ｂに係合（図１２中、二点鎖線５３参照）することにより、該基板ボックス９９が固定される。この状態から、留め具５３を戻して（回動させて）、前記タブ９９ｂに対する係合を解除（図１２中、実線５３参照）することにより、基板ボックス９９の退避位置への位置変更が可能となる。
【００４８】
ところで、上記実施の形態１におけるヒンジ機構５６（図９参照）に代えて、図１２に示すように、前記基板ボックス９９の上端部が機構盤４８に軸受手段１００を介してほぼ水平な軸線周りに回動可能に支持されている。軸受手段１００は、左右対称状に配置されている。軸受手段１００は、基板ボックス９９の例えばボックスカバー５４，５５の側面の上端部に一体形成されたほぼ円柱状の軸部１０２と、その軸部１０２に対応するように機構盤４８に一体形成されかつ該軸部１０２を回動可能に支持する軸受部１０４とにより構成されている。図１５に示すように、軸受部１０４には、軸部１０２を受入れるほぼ四角形状の軸受凹部１０５が形成されている。軸受部１０４の突出端側に位置する軸受凹部１０５の壁部１０５ａには、軸部１０２をその径方向に出し入れ可能とする切欠き部１０６が形成されている。軸部１０２は、軸受凹部１０５の壁部１０５ａの切欠き部１０６を通じて軸受凹部１０５内に介入されている（図１２参照）。これにより、軸部１０２は、その軸線に交差する方向への所定範囲の移動が許容されるように、軸受部１０４の軸受凹部１０５内に遊嵌状に支持されている。このため、基板ボックス９９が装着位置にあるときは（図１３中、実線９９参照）、軸部１０２が軸受凹部１０５内の上端部付近に位置している。また、基板ボックス９９が退避位置に位置変更されると（図１４中、実線９９参照）、軸部１０２が軸受凹部１０５内の下端部付近にずれて位置する。
【００４９】
図１２に示すように、前記機構盤４８には、前記基板ボックス９９の裏側に位置するほぼ三角板状の保持部材１１０の基端部がほぼ垂直な軸線周りに回動可能に設けられている。保持部材１１０は、前記基板ボックス９９を退避位置において受け止めて保持する保持位置（図１４参照）と、機構盤４８側に傾倒しかつ該基板ボックス９９を前記装着位置（図１３参照）に位置変更可能とする非保持位置とに位置変更可能に設けられている。
詳しくは、図１９に示すように、保持部材１１０は、ほぼ直角三角形板状に形成されている。保持部材１１０は、直角部と小さい方の角部を上部にし、大きい方の角部を下部に向けられている。保持部材１１０の直角側と大きい方の角部の上下縁には、同一軸線上に位置するほぼ円柱状の取付軸部１１１が突出されている。保持部材１１０の長辺側の側縁の上端部には、ほぼ四角形枠状の突出枠部１１３が形成されている。突出枠部１１３の先端部１１４は、保持部材１１０の表方へ突出するようにほぼＬ字状に形成されている（図１７参照）。保持部材１１０の長辺側の側縁の上端部には、突出枠部１１３内に突出するバネ掛け部１１５が形成されている。バネ掛け部１１５の先端部１１６は保持部材１１０の表方へ指向するようにほぼＬ字状に形成されている（図１７参照）。保持部材１１０の長辺側の側縁の中央部には、ほぼ四角形状の突出片１１７が形成されている。また、保持部材１１０の小さい方の角部の先端部１１０ａは、断面ほぼ半円形状に形成され、上下方向に所定長さで延びている。
【００５０】
図１７及び図１８に示すように、前記機構盤４８には、前記保持部材１１０を嵌め込み可能な凹部１２０が形成されている。機構盤４８には、上下一対をなす軸受片１２２が弾性変形いわゆる撓み変形可能（図１６中、二点鎖線１２２参照）に形成されている。図１６に示すように、機構盤４８の各軸受片１２２の先端部に対して、保持部材１１０の取付軸部１１１が該軸受片１２２の撓み変形を利用して回動可能に嵌合される。これにより、機構盤４８に保持部材１１０が取付軸部１１１の軸線周りに回動可能に支持されている。機構盤４８の裏側には、保持部材１１０のバネ掛け部１１５に対応するバネ掛け部１２４が形成されている（図１７参照）。保持部材１１０のバネ掛け部１１５と機構盤４８のバネ掛け部１２４には、コイルスプリング１３０が掛装されている。コイルスプリング１３０の弾性によって、保持部材１１０が非保持位置（図１７中、実線１１０参照）から保持位置（図１７中、二点鎖線１１０（１）参照）へ向けて付勢されている。また、機構盤４８には、保持部材１１０を保持位置にて停止させるために該保持部材１１０と当接可能なストッパ部１２６が設けられている。なお、コイルスプリング１３０は、本明細書でいう「弾性部材」に相当する。
【００５１】
図１７に示すように、前記機構盤４８には、前記保持部材１１０の先端部１１０ａに対して弾性変形いわゆる撓み変形を利用して係合可能な仮止め片１２８が形成されている。すなわち、機構盤４８の仮止め片１２８に保持部材１１０の先端部１１０ａが撓み変形を利用して係合することにより、該保持部材１１０が前記コイルスプリング１３０の付勢に抗して非保持位置に保持されるようになっている（図１７中、実線１１０参照）。また、この状態において、前記基板ボックス９９が装着位置（図１７中、二点鎖線９９参照）に位置変更されると、該基板ボックス９９の裏面９９ｃ（図１７参照）により保持部材１１０の突出枠部１１３の先端部１１４が押し下げられる。これにより、機構盤４８の仮止め片１２８に対する該保持部材１１０の先端部１１０ａの係合が解除される。なお、装着位置における基板ボックス９９の裏面９９ｃと、それに対面する機構盤４８の当該面との間には、仮止め片１２８に対する保持部材１１０の先端部１１０ａの係合が解除される相当分の空間部Ｓ（図１７参照）が設定されているものとする。
すると、装着位置にある基板ボックス９９の裏面９９ｃには、保持部材１１０の先端部１１０ａが当接し、保持部材１１０がコイルスプリング１３０の付勢に抗して基板ボックス９９により制止される（図１７中、二点鎖線１１０（２）参照）。したがって、次回の基板ボックス９９の装着位置から退避位置への位置変更に連動して、保持部材１１０がコイルスプリング１３０の付勢により非保持位置から保持位置（図１７中、二点鎖線１１０（１）参照）へ自動的に位置変更することができる。なお、仮止め片１２８は、本明細書でいう「仮止め手段」に相当する。
【００５２】
上記した実施の形態２によっても、前記実施の形態１と同様の作用・効果が得られる。すなわち、遊技機１（図１参照）の球取込装置５８（図６参照）において球噛みが発生した場合に、遊技者から連絡を受けたホール店員すなわち作業者は、前に述べたようにして前枠５（図２参照）を開ける。この状態で、基板ボックス９９のタブ９９ｂに対する留め具５３（図１２参照）の係合を解除して、基板ボックス９９を退避位置（図１３中、二点鎖線９９参照）に位置変更させる。これにより、前記球取込装置５８が露出される。このとき、基板ボックス９９は、装着位置から退避位置への位置変更に連動して、コイルスプリング１３０（図１７参照）の付勢により自動的に保持位置に回動された保持部材１１０によって退避位置に保持される（図１４参照）。この状態で、作業者は、前記実施の形態１と同様に、球取込装置５８の球噛みを解消する。
【００５３】
上記のようにして、球取込装置５８（図６参照）の球噛みが解消されたならば、作業者は、保持部材１１０をコイルスプリング１３０の付勢に抗して非保持位置に位置変更すると、保持部材１１０が仮止め片１２８の係合によって非保持位置に保持される（図１７中、実線１１０参照）。この状態で、基板ボックス９９を退避位置から装着位置に位置変更すると、前に述べたように、保持部材１１０に対する仮止め片１２８の係合が解除されたのち、保持部材１１０がコイルスプリング１３０の付勢に抗して基板ボックス９９で制止される（図１７中、二点鎖線１１０（２）参照）。そして、装着位置に戻した基板ボックス９９のタブ９９ｂに留め具５３（図１２参照）を係合した後、前枠５（図２参照）を閉じることにより、球取込装置５８の球噛み解消作業が終了する。
【００５４】
上記した実施の形態２によると、機構盤４８の裏側に設けられた基板ボックス９９の装着位置から退避位置への位置変更に連動して、保持部材１１０がコイルスプリング１３０の付勢により非保持位置から保持位置へ自動的に位置変更される。このため、従来必要とされた保持部材１１０の保持位置への位置変更作業を省略することができる。さらには、球取込装置５８を容易に露出させることができ、これにより、例えば球取込装置５８の検査やメンテナンス等を一層容易に行うことができる。
【００５５】
また、前に述べたように、保持部材１１０がコイルスプリング１３０の付勢により非保持位置から保持位置へ自動的に位置変更されるように構成したので、コイルスプリング１３０を利用した簡単な構造によって、保持部材１１０の保持位置への位置変更を自動化することができる。
【００５６】
また、基板ボックス９９が退避位置にあるときに、保持部材１１０をコイルスプリング１３０の付勢に抗して保持位置から非保持位置へ位置変更すると、保持部材１１０が仮止め片１２８の係合によって非保持位置に保持される。この状態で、基板ボックス９９を退避位置から装着位置に位置変更すると、保持部材１１０に対する仮止め片１２８の係合が解除されたのち、保持部材１１０がコイルスプリング１３０の付勢に抗して基板ボックス９９で制止される。したがって、次回の保持部材１１０の保持位置への自動的な位置変更のための準備を容易に整えることができる。
【００５７】
また、機構盤４８には、前記基板ボックス９９の上端部がほぼ水平な軸線周りに回動可能に設けられているとともに、前記保持部材１１０の基端部がほぼ垂直な軸線周りに回動可能に設けられている。したがって、基板ボックス９９及び保持部材１１０をそれぞれ回動によって容易に位置変更させることができる。
【００５８】
また、機構盤４８に基板ボックス９９の上端部をほぼ水平な軸線周りに回動可能に支持する軸受手段１００は、基板ボックス９９に形成された軸部１０２と、機構盤４８に形成されかつ前記軸部１０２を回動可能に支持する軸受部１０４とにより構成されている。軸部１０２は、その軸線に交差する方向への所定範囲の移動が許容されるように前記軸受部１０４に対して遊嵌状に支持されている。これにより、機構盤４８に対する基板ボックス９９の回動に際し、軸受手段１００の軸部１０２が軸受部１０４内で軸線に交差する方向への所定範囲の移動が許容される。したがって、基板ボックス９９の回動支点を退避位置では低くくずらし、装着位置では高くずらすことができる。それゆえ、図１３に示すように、厚み（図１３において実線９９の左右方向の寸法が相当する）のある基板ボックス９９を、該基板ボックス９９の高さ分（図１３において実線９９の上下方向の寸法が相当する）のスペース内において、装着位置と退避位置との間で回動させることができる。例えば、前記実施の形態１におけるヒンジ機構５６（図９参照）のように、回動支点が固定されている構造では、装着位置から退避位置へ回動させると、基板ボックス９９が回動支点の上方へはみ出すことになってしまう。これに対し、本実施の形態２によれば、基板ボックス９９を装着位置から退避位置へ回動させると、回動支点が低くずれることにより、基板ボックス９９が装着位置の高さより上方へほとんどはみださない構造を実現することができる。
【００５９】
また、軸受手段１００は、樹脂製の基板ボックス９９のボックスカバー５４，５５に一体形成された軸部１０２と、樹脂製の機構盤４８に一体形成された軸受部１０４とにより構成されている。このため、例えば、軸部１０２及び軸受部１０４の少なくとも一方に金属製部品を採用した場合と異なり、樹脂製部品である基板ボックス９９のボックスカバー５４，５５及び機構盤４８のリサイクルを容易に実施することができる。
【００６０】
また、機構盤４８の開口部の下方部位に基板ボックス９９が配置されるとともに、該基板ボックス９９で球取込装置５８が隠蔽される。したがって、球取込装置５８に基板ボックス９９が重畳配置されることにより、機構盤４８の外形を大きくすることになく、該機構盤４８の開口部を下方へ拡大することができる。したがって、近年の入賞装置、図柄表示装置等等の大型化にともなう後方突出部位の大型化に容易に適応することができる。
【００６１】
また、前記保持部材１１０は、図２０に示すように、その外方の非保持位置（図２０中、実線１１０参照）からのほぼ垂直な軸線Ｌ１周りの回動によって保持位置（図２０中、二点鎖線１１０参照）へ位置変更するように配置することができる。
【００６２】
また、前記保持部材１１０は、図２１に示すように、非保持位置（図２１中、実線１１０参照）からスライドによって保持位置（図２１中、二点鎖線１１０参照）へ位置変更するように配置することができる。この場合、保持部材１１０は、電磁ソレノイド、電動モータを利用したアクチュエータ等の駆動源１３２によるスライドによって保持位置と非保持位置とに位置変更可能とすることができる。
【００６３】
また、前記基板ボックス９９は、図２２に示すように、ほぼ垂直な軸線Ｌ２周りの回動によって装着位置（図２２中、実線９９参照）と退避位置（図２２中、二点鎖線９９参照）とに位置変更可能とすることができる。
【００６４】
本発明は前記実施の形態に限定されるものではなく、本発明の要旨を逸脱しない範囲における変更が可能である。例えば、本発明は、上記実施の形態の遊技機に限らず、パチンコ機、スロットマシンにも適用することができる。また、支持側部材は機構盤４８に限定されるものでなく、装着側部材は基板ボックス９９に限定されるものでもない。また、隠蔽部材は、球取込装置５８に限定されるものではなく、例えばパチンコ機にあってはパチンコ球を発射する球発射装置や、その他の検査やメンテナンス等が必要とされる装置類、作動機構類、部品類であってもよい。また、装着側部材は、回動に限らず、スライドと平行移動との複式動作によって、装着位置と退避位置とに位置変更可能に設けるものでもよい。また、仮止め手段（仮止め片１２８）は省略することができる。また、弾性部材には、コイルスプリング１３０の他、リーフスプリング、クッション体等を採用することができる。また、軸受手段１００の軸部１０２と軸受部１０４は、逆配置すなわち軸部１０２を機構盤４８に設け、軸受部１０４を基板ボックス９９に設けることができる。また、球取込装置５８における回転体７０の球収容部７２の数は、適宜増減することができる。また、球取込装置５８における球収容部７２に受け入れる球Ｂの球数は、適宜増減することができる。また、球取込装置５８における球噛み解消用開口部は、カバー部材６４の後側壁６４ａに限定されるものではなく、例えばケース体の左右の側壁や上側壁あるいは下側壁等に設けることができる。また、球取込装置５８における球噛み解消用開口部の形状、個数等は、適宜変更することができる。また、球取込装置５８におけるケース体６０のカバー部材６４の後側壁６４ａと取込通路６５の通路壁とは別個に形成することができる。
【００６５】
【発明の効果】
以上述べたように、本発明の遊技機によれば、保持部材が弾性部材の付勢により非保持位置から保持位置へ自動的に位置変更されるものであるから、従来必要とされた保持部材の保持位置への位置変更作業を省略することができる。
【図面の簡単な説明】
【図１】本発明の実施の形態１に係る遊技機を示す正面図である。
【図２】図１のＩＩ−ＩＩ線矢視断面図である。
【図３】遊技機を示す背面図である。
【図４】球取込装置を示す斜視図である。
【図５】球取込装置を示す正面図である。
【図６】図５のＶＩ−ＶＩ線矢視断面図である。
【図７】球取込装置の内部構造を示す説明図である。
【図８】カバー部材を取外した状態の球取込装置を示す斜視図である。
【図９】球取込装置と基板ボックスとの関係を示す断面図である。
【図１０】球噛み解消用開口部の変更例１を示す斜視図である。
【図１１】球噛み解消用開口部の変更例２を示す斜視図である。
【図１２】本発明の実施の形態２に係る基板ボックスの周辺部を示す背面図である。
【図１３】装着位置にある基板ボックスを示す側断面図である。
【図１４】退避位置にある基板ボックスを示す側断面図である。
【図１５】軸受手段を一部破断して示す分解斜視図である。
【図１６】非保持状態の保持部材を示す背面図である。
【図１７】図１６のＸＶＩＩ−ＸＶＩＩ線矢視断面図である。
【図１８】図１６のＸＶＩＩＩ−ＸＶＩＩＩ線矢視断面図である。
【図１９】保持部材を示す斜視図である。
【図２０】保持部材の変更例を示す平面図である。
【図２１】保持部材の変更例を示す側面図である。
【図２２】基板ボックスの変更例を示す平面図である。
【符号の説明】
１  遊技機
４８  機構盤（支持側部材）
５８  球取込装置（隠蔽部材）
９２  保持部材
９９  基板ボックス
１１０  保持部材
１２８  仮止め片（仮止め手段）
１３０  コイルスプリング（弾性部材）
１００  軸受手段
１０２  軸部
１０４  軸受部
【図１】
2004188131.tif 000003
【図２】
2004188131.tif 000004
【図３】
2004188131.tif 000005
【図４】
2004188131.tif 000006
【図５】
2004188131.tif 000007
【図６】
2004188131.tif 000008
【図７】
2004188131.tif 000009
【図８】
2004188131.tif 000010
【図９】
2004188131.tif 000011
【図１０】
2004188131.tif 000012
【図１１】
2004188131.tif 000013
【図１２】
2004188131.tif 000014
【図１３】
2004188131.tif 000015
【図１４】
2004188131.tif 000016
【図１５】
2004188131.tif 000017
【図１６】
2004188131.tif 000018
【図１７】
2004188131.tif 000019
【図１８】
2004188131.tif 000020
【図１９】
2004188131.tif 000021
【図２０】
2004188131.tif 000022
【図２１】
2004188131.tif 000023
【図２２】
2004188131.tif 000024